(57)【特許請求の範囲】
【請求項１】
左右側板と天板と底板と背板とを有して前向きに開口した金属板製の本体と、前記本体の開口部を塞ぐ水平回動式の扉とを備えていて、前記扉は、閉じた状態で前記本体の内部に入り込んでおり、
前記本体における左右側板のうち少なくとも一方の側板に、前記扉を水平回動自在に取り付ける扉支持部が、前記一方の側板の前端よりも奥側に入り込んだ状態で形成されており、かつ、閉じた状態の扉の基端と前記一方の側板の前端部との間に前記扉の厚さと略同じかそれより大きい間隔を空けることにより、前記扉を開閉させることが許容されている構成であって、
前記一方の側板の前端には、当該一方の側板に密着した一方の内側板が折り返し形成されていて、前記一方の内側板に、前記本体の収納空間側に突出した前記扉支持部を形成しており、かつ、前記一方の側板の前端縁は、前記扉の開き角度を規制するストッパーを兼用している一方、
前記左右側板のうち他方の側板には、当該他方の側板に密着した内側板が折り返し形成されており、前記内側板に、前記扉を閉じた状態に保持する当たり部が、前記本体の内部側に突出するように形成されている、
収納家具。
【請求項２】
前記左右両側板と天板と底板とは背板の周縁に一体に曲げ形成されており、従って、左右両側板と天板と底板と背板とは１枚の金属板で構成されている、
請求項１に記載した収納家具。
【請求項３】
前記天板の前端部には中空状で下向きに突出した上カマチ部が曲げ形成されており、前記扉は前記上カマチ部の下方に位置している一方、
前記底板の前端部には中空状で上向きに突出した下カマチ部が曲げ形成されており、前記扉は前記下カマチ部の上方に位置している、
請求項１又は２に記載した収納家具。
【請求項４】
前記本体の内部に、略水平姿勢で少なくとも前記左右側板に固定された仕切板を１枚又は上下に隔てて複数枚配置することにより、前記本体の内部を複数の単位収納部に区分しており、前記各単位収納部にそれぞれ前記扉を設けている、
請求項１〜３のうちのいずれかに記載した収納家具。
【発明の詳細な説明】
【技術分野】
【０００１】
本願発明は、ロッカーやキャビネット、或いはラックのように、水平回動式の扉を有する収納家具に関するもので、本体がスチール板やステンレス板のような金属板から成るものを対象にしている。扉は金属板製であってもよいし、木製や樹脂製等であってもよい。
【背景技術】
【０００２】
本体の開口部に水平回動式の扉を設けたスチール板製のキャビネットやロッカーは、多種多様のものが広く出回っている。本体と扉との関係を見ると、扉が閉じた状態において、扉の全体が本体の前にはみ出ていて扉の外周面が外側に露出しているタイプと、特許文献１のように、扉が閉じた状態において、扉の全体が本体の内部に入り込んでいて扉の外周面が視認できないタイプとに大別される。
【０００３】
特許文献１もそうであるが、扉が閉じた状態で本体の内部に入り込んでいるタイプにおいては、扉はなるべく隙間を無くした状態で本体内内に嵌まるように設定している。従って、扉を本体にヒンジで連結している場合は、ヒンジの回動支点を本体の前端面の個所に位置させることにより、扉の開閉を許容している。つまり、ヒンジの回動支点が本体の内部側に入り込んでいると、扉を開けようとしても、扉の基端部が本体の内側面に当たって開くことができないので、ヒンジの回動支点を本体の前面の個所に位置させることにより、扉の全体が本体の内部に出入りすることを許容している。
【先行技術文献】
【特許文献】
【０００４】
【特許文献１】特開平２００９−１５５９３３号公報
【発明の概要】
【発明が解決しようとする課題】
【０００５】
閉じた状態の扉を本体の内部に入り込ませたタイプでは、上記のとおり、閉じた状態で扉の外周と本体との間の隙間はできるだけ詰めようとしており、このため、デザイン的な面白みに欠ける面があった。また、ヒンジの一部が外側から見えることが多いため、人に違和感を与えるおそれもあった。
【０００６】
更に、扉が１８０度程度まで大きく開くと、他の物に当たったり、左右に重ねて並設した場合に隣の使用者の邪魔になるといった問題があることから、扉の開き角度は９０°程度かそれよりやや大きい角度に規制していることも多いが、従来は、ストッパー手段で最大開き角度を規制しているため、構造が複雑化するおそれもあった。
【０００７】
更に、従来は、小型のロッカーやキャビネットであっても、本体を複数枚の鋼板で製造していることが殆どであるため、製造に手間が掛かってコスト抑制が難しいという問題もあった。
【０００８】
本願発明は、このような現状を改善すべく成されたものであり、デザイン的及び機能的面において改良された収納家具を提供せんとするものである。
【課題を解決するための手段】
【０００９】
本願発明の収納家具は、
「左右側板と天板と底板と背板とを有して前向きに開口した金属板製の本体と、前記本体の開口部を塞ぐ水平回動式の扉とを備えていて、前記扉は、閉じた状態で前記本体の内部に入り込んでおり、
前記本体における左右側板のうち少なくとも一方の側板に、前記扉を水平回動自在に取り付ける扉支持部が、前記一方の側板の前端よりも奥側に入り込んだ状態で形成されており、かつ、閉じた状態の扉の基端と前記一方の側板の前端部との間に前記扉の厚さと略同じかそれより大きい間隔を空けることにより、前記扉を開閉させることが許容されている」
という基本構成になっている。この場合、前記左右側板のうち他方の側板か又は前記天板、若しくは前記底板のうち少なくとも１つに、前記扉を閉じ姿勢に保持する当たり部が形成されているのが好ましい。
【００１０】
本願発明は、上記の基本構成の下で様々に具体化できる。その例として請求項１の発明では、前記本体における左右側板のうち少なくとも一方の側板に、前記扉を水平回動自在に取り付ける扉支持部が、前記一方の側板の前端よりも奥側に入り込んだ状態で形成されており、かつ、閉じた状態の扉の基端と前記一方の側板の前端部との間に前記扉の厚さと略同じかそれより大きい間隔を空けることにより、前記扉を開閉させることが許容されている。この場合、前記左右側板のうち他方の側板か又は前記天板、若しくは前記底板のうち少なくとも１つに、前記扉を閉じ姿勢に保持する当たり部が形成されているのが好ましい。
【００１１】
上記基本構成において、請求項１の発明は、
「前記一方の側板の前端には、当該一方の側板に密着した一方の内側板が折り返し形成されていて、前記一方の内側板に、前記本体の収納空間側に突出した前記扉支持部を形成しており、かつ、前記一方の側板の前端縁は、前記扉の開き角度を規制するストッパーを兼用している一方、
前記左右側板のうち他方の側板には、当該他方の側板に密着した内側板が折り返し形成されており、前記内側板に、前記扉を閉じた状態に保持する当たり部が、前記本体の内部側に突出するように形成されている」
という構成になっている。
【００１２】
請求項２の発明は、請求項１において、
「前記左右両側板と天板と底板とは背板の周縁に一体に曲げ形成されており、従って、左右両側板と天板と底板と背板とは１枚の金属板で構成されている」
という構成になっている。
【００１３】
請求項３の発明は、請求項１又は２において、
「前記天板の前端部には中空状で下向きに突出した上カマチ部が曲げ形成されており、前記扉は前記上カマチ部の下方に位置している一方、前記底板の前端部には中空状で上向きに突出した下カマチ部が曲げ形成されており、前記扉は前記下カマチ部の上方に位置している」
という構成になっている。
【００１４】
請求項４の発明は、請求項１〜３のうちのいずれかにおいて、
「前記本体の内部に、略水平姿勢で少なくとも前記左右側板に固定された仕切板を１枚又は上下に隔てて複数枚配置することにより、前記本体の内部を複数の単位収納部に区分しており、前記各単位収納部にそれぞれ前記扉を設けている」
という構成になっている。
【００１５】
なお、本願発明において、収納家具には、棚板やフック類などの補助部材を標準品として又はオプション品として装備することができる。
【発明の効果】
【００１６】
本願発明では、扉を閉じた状態で、扉の基端と本体の前端部との間に縦長の溝状空間が空いているため、従来にない斬新なデザインとして商品価値を高めることができる。また、溝状の空間を利用して電源線や通信線等のケーブル類を格納することも可能になる。更に、扉支持部は本体の内部に入り込んでいるため、ヒンジ等の連結部材が外部から見えることは殆ど又は全くなく、この面でも美観に優れている。
【００１７】
そして、扉支持部は本体の内部に入り込んでいるため、扉の回動支点は本体の内部側に入り込んでおり、このため、空けた扉を本体の前端に当てることによって、扉の開き角度を規制することが可能になる。これにより、扉の最大開き角度を規制するためのストッパー手段を不要にして、構造の簡素化を図ることができる。
【００１８】
更に本願発明では、左右の内側板は側板に重なっているため、扉支持部及び当たり部の内向き突出寸法をできるだけ小さくすることができる。このため、開口部の間口寸法をできるだけ大きくできる。また、一方の側板の前端は扉の最大開き角度を規制するストッパーとして機能するが、一方の側板と内側板とが密着して重なっているため、扉が当たっ
ても変形するようなことはなくて、高い耐久性を確保することができる。
【００１９】
請求項２のように本体を１枚の金属板で構成すると、溶接等の工程を減らして（或いは無くして）コストの大幅抑制に貢献できると共に、収納家具の寸法精度の向上にも貢献できる。請求項３のように天板と底板とにカマチ部を形成すると、天板と底板の剛性を高めて、収納家具の全体としての堅牢性を向上できる。
【００２０】
請求項４の構成を採用すると、左右底板と背板と天板と底板とを共有しつつ、扉付きの独立した単位収納部が上下多段に構成されるため、小物を収納するロッカー装置などに好適である。
【００２１】
つまり、例えばキャビネットにおいて内部を棚板で上下に仕切ることは従来から行われているが、棚板で仕切られた収納空間は１つの扉で覆われるため、各収納空間を複数人が専用空間として使用することはできず、このため、多数人で使用することには全く適用できなかったが、本願請求項４では、固定式の仕切板で仕切られた単位収納部に、それぞれ扉を設けているため、１つの収納家具を複数人が一部ずつ専用できるのであり、このため、各種施設の一時保管用ロッカーのような設備として好適である。
【００２２】
なお、請求項４とは異なって、本体の内部を固定式の仕切で上下複数に仕切りつつ、全ての単位収納部又は幾つかの単位収納部を１つの扉で開閉する構成も採用可能である。劇薬や危険品のように施錠できる扉を有するキャビネットで保管せねばならない物品があるが、複数の単位収納部を１つの扉で開閉することにより、物品の出し入れの容易性を損なうことなく、管理の確実性を担保できる。
【図面の簡単な説明】
【００２３】
【図１】第１実施形態に係る収納家具（小型ロッカー）の斜視図である。
【図２】第１実施形態の上部の一部破断斜視図である。
【図３】第１実施形態の中間部の破断斜視図である。
【図４】（Ａ）は図１の IV-IV視断面図、（Ｂ）は変形例の一部平断面図である。
【図５】図１の V-V視断面図である。
【図６】（Ａ）は第２実施形態の正面図、（Ｂ）は第３実施形態の正面図である。
【図７】は第４実施形態の正面図である。
【図８】（Ａ）は第５実施形態の平断面図、（Ｂ）は第６実施形態の平断面である。
【図９】第７実施形態の平断面図である。
【発明を実施するための形態】
【００２４】
(1).第１実施形態の基本構造
次に、本願発明の実施形態を図面に基づいて説明する。まず、図１〜５を参照して第１実施形態を説明する。本実施形態は小型ロッカータイプの収納家具に適用しており、収納家具は、前向きに開口した上下長手で四角形の本体１と、上下２段の扉２とを主要要素としている。扉２には、ダイヤル式の錠３を取付けている。錠３は摘み３ａを備えている。
【００２５】
本体１は、それぞれ四角形の背板４と左右側板５，６と天板７と底板８とを有しており、これらは、１枚の鋼板で一体に構成されている。すなわち、背板４の四周に、左右側板５，６と天板７と底板８とが前向きに曲げ形成されている。
【００２６】
図２に示すように、天板７の前端部には、中空状の上カマチ部９が下向きに突設されている。図５に示すように、底板８の前端部にも、中空状の下カマチ部１０が上向きに突設されている。上下カマチ部９，１０の後端は、天板７及び底板８に向けて傾斜している。底板８には物品が載置されるが、下カマチ部１つの後端が傾斜していることにより、物品の取り出しをスムースに行える。
【００２７】
図２に示すように、側板５，６の上端には内向きの取付け片１１を曲げ形成しており、取付け片１１と天板７とをスポット溶接で固着している。図示は省略するが、側板５，６の下端にも取付け片を設けていて、スポット溶接で固着されている。
【００２８】
図２，４に示すように、右側板６（一方の側板）の前端部には、当該右側板６に密着した右内側板１２が上下全長に亙って曲げ形成されており、この右内側板１２に、収納空間に向けて左向きに突出した扉支持部１３を一体に設けている。扉支持部１３は、右内側板１２から内向きに突出した内向き片１３ａと、内向き片１３ａの前端から手前に向くように曲げられた前向き片１３ｂと、前向き片１３ｂの前端から右内側板１２に向くように曲げられた外向き片１３ｃとを有している。従って、扉支持部１３は、全体として中空角形に近い形態になっている。
【００２９】
扉支持部１３の外向き片１３ｃは、右内側板１２には至ることなく左右中間部で止まっている。従って、内向き片１３ａの基端側の半分程度が手前に露出している。但し、図４（Ｂ）に変形例として示すように、外向き片１３ｃを右内側板１２に到達させてもよい。この場合は、扉支持部１３は完全な中空構造になって、外向き片１３ｃが手前に露出する。
【００３０】
図２に示すように、扉支持部１３の上端部は、内向き片１３ａの半分を除いて切り欠かれており（切り欠きを符号１４で示している）、切り欠き１４の個所に上カマチ部９が嵌まっている。従って、天板７の前部は扉支持部１３に上から載った状態になっている。このため、強度的に優れている。
【００３１】
(2).扉とこれに関連した構造
本実施形態では扉２も鋼板製であり、図４に示すように、その四周に、本体１に向いて折り曲げ片１５を形成することにより、補強すると共にある程度の厚みを持たせており、かつ、左右の折り曲げ片１５に内向き片１５ａを形成している。そして、右側の内向き片１５ａと扉支持部１３の外向き片１３ｃとが、上下一対のヒンジ１６によって連結されている。これにより、扉２はその右側端を中心にして水平回動する。
【００３２】
図１や図４のとおり、扉２を閉じた状態で、当該扉２の右側面（基端）と本体１の右内側面１２との間には、縦長の溝状空間１７が前向きに開口している。この溝状空間１７の左右溝幅は、図４から理解できるように、扉２の厚さ寸法Ｔより少し大きい程度の寸法に設定している。このため、扉２を開くと、９０°よりも少し開いた姿勢で扉２の前面が本体１の前端に当たり、これによって扉２の開き角度が規制される。すなわち、本体１における右側板６の前端が、扉２の最大開き角度を規制するストッパーになっている。
【００３３】
収納家具はその多数個を左右に重ねた状態で使用されることがあるが、この場合でも、扉２の開き角度は規制されていて、右隣の収納家具の手前に大きく被さることはないため、隣の使用者に不快感を与えることはない。
【００３４】
左側板５（他方の側板）の前端部には左内側板１８が折り曲げ形成されており、この左内側板１８に、扉２の自由端部が当たるように内向き突出した当たり部１９を曲げ形成している。当たり部１９は、左内側板１８から内向きに向いた前片１９ａと、前片１９ａから後ろに向いた側片１９ｂと、側片１９ｂの後端から左側板５に向いた後ろ片１９ｃとから成っている。後ろ片１９ｃは、後ろに向けて左側板５に近づくように傾斜している。扉２の自由端部には緩衝材２０を設けている。
【００３５】
当たり部１９は中空構造なっているため、扉支持部１３と対になって本体１の剛性を高めている。また、図２に示すように、当たり部１９は天板７まで到達している。このため、天板７の上カマチ部９には、当たり部１９との衝突を回避するため切り欠き２１を形成している。また、当たり部１９の側片１９ｂには、錠３の閂杆２２（図４参照）が嵌脱するロック穴２３を形成している。
【００３６】
(3).仕切構造
本実施形態では、本体１の内部は、上下中間部に位置した１枚の仕切板２４によって上下に仕切られている。従って、図５に明示するように、本体１の内部は上下２つの単位収納部２５に区分されており、各単位収納部２５が、それぞれ扉２で開閉されるようになっている。
【００３７】
図３，５に示すように、仕切板２４の前端部には高さを高くした転び止め部２４ａを形成しており、転び止め部２４ａの前端に補強用の前板２４ｂを下向きに曲げ形成し、かつ、前板２４ｂの下端には、後面に重なる折り返し片２４ｃを曲げ形成している。転び止め部２４ａの後部は傾斜部になっている。このため、物品の出し入れはスムースに行える。転び止め部２４ａは物品の脱落を抑制するためのものであるが、仕切板２４は、転び止め部２４ａを持たない単なる平坦面と成してもよい。
【００３８】
仕切板２４の前板２４ｂは，上下の扉２の間に位置している。従って、扉２を閉じた状態でも前板２４ｂが露出している。図３に示すように、仕切板２４のうち、転び止め部２４ａよりも後ろの個所には左右の下向き片２６を形成し、この下向き片２６を左右の側板５，６にスポット溶接で固着している。また、後端縁にも下向き片２７を設けて、これを背板４にスポット溶接で固着している。
【００３９】
仕切板２４の転び止め部２４ａと前板２４ｂは扉支持部１３及び当たり部１９の手前まで延びており、図１から理解できるように、転び止め部２４ａと前板２４との右端面は、閉じた状態での扉２の右端面と略同一面になるように揃えられている一方、転び止め部２４ａと前板２４との左端面は、左内側板１８まで至っている。そこで、図３に示すように、仕切板２４の転び止め部２４ａには、扉支持部１３との干渉を回避するための右切り欠き２７と、当たり部１９との干渉を回避するための左切り欠き２８とを形成している。
【００４０】
この場合、右切り欠き２７を、扉支持部１３の外向き片１３ｃの手前まで大きく切り開くことにより、扉支持部１３の手前に、電源線等のケーブル２９を通すことができる配線通路２７ａが空くように設定している。扉２と扉支持部との間には、ヒンジ１６を取り付けるために間隔が空いているので、配線通路２７ａはケーブル２９を通すことができる程度の間隔に設定できる。収納家具に形態電話やスマートフォンを収納する場合、ケーブル２９に充電用アダプタを接続しておくことにより、収納家具での保管中に充電することができる。
【００４１】
図５に点線で示すように、仕切板２４を転び止め部２４ａが無い単なる平板状に構成して、その前板２４ｂを扉支持部１３の前面と略同じ位置に位置させてもよい。また、転び止め部２４ａを設けた場合であっても、一点鎖線で示すように、前板２４ｂを扉支持部１３の前面と略同じ位置に位置させてもよい。これらの場合は、仕切板２４はその全体が扉２の後ろに位置するので、上下の扉２を近接するように配置して、扉２を閉じた状態で仕切板２４を隠すことができる。
【００４２】
扉支持部１３において、外向き片１３ｃの後ろの空間を配線に利用することができるが、図４（Ｂ）に示すように、外向き片１３ｃを右内側板１２まで到達させた場合は、外向き片１３ｃの後ろの空間は閉じた状態になるため、配線に利用すると、ケーブル２９の保護機能が各段に高くなる。この場合は、扉支持部１３の内向き片１３ａに、ケーブル２９の引出し穴３０を形成することも可能である。引出し穴３０は、プラグを抜き差しできる大きさに設定しておくのが好ましい。
【００４３】
図２，５に示すように、各単位収納部２５には棚板３１を配置している。棚板３１は、左右の外側板５，６の内面に固着したブラケット３２で着脱自在に支持されている。棚板３１は、扉支持部１３よりも後ろに配置している。ブラケット３２は金属板をクランク状に曲げたものであり、棚板３１の左右両側部には、ブラケット３２の左右外側に嵌め入れる下向き片３１ａを設けている。
【００４４】
(4).第１実施形態のまとめ
既述のとおり、本実施形態では、本体１の右側部に、本体１の右側板６と扉２とで構成される溝状空間１７が存在するため、従来にない斬新なデザインとして商品価値を高めることができる。更に、仕切板２４も露出しているため、溝状空間１７とのコントラスト効果が発揮されて、デザイン的な斬新性が一層高まっている。
【００４５】
また、ヒンジ１６は、本体１の内部に入り込んだ扉支持部１３に取付けられているため、ヒンジ１６を視認することは殆ど不可能であり、この面でも美観に優れている。しかも、既述のとおり、本体１の前端を扉２の回動角度規制用ストッパーに兼用できるため、それだけ構想を簡単化できる。
【００４６】
実施形態のように、扉支持部１３を中空に近い角形に構成すると、扉支持部１３が高い補強機能を発揮するため、当たり部１９が中空状であることと相まって、収納家具の堅牢性を各段に向上できる。なお、扉２は木製や樹脂製であってもよい。図示していないが、外側板５、６の内面などにフック類を設けることも可能である。
【００４７】
複数の収納家具を左右に重ねて配置する場合、各収納家具の前端面が揃っていないと体裁が悪い。この点については、図４に一点鎖線で示すように、左右側板５，６のうち一方に上下長手の係合突起３３を形成して、他方には上下長手の係合凹部３４を形成し、左右に隣り合った収納家具の係合突起３３と係合凹部３４を嵌め合わせることにより、前後位置を揃えることが可能である。もとより、他の位置止め手段を設けてもよい。同様に、上下に揃えて重ねるための凹部と凸部とを形成したり、隣り合った収納家具にそれぞれ凹部を形成して、隣り合った凹部に位置決め用のストッパーを嵌合させるといったことによっても、左右又は上下に隣り合った収納家具の位置を揃えることができる。
【００４８】
本体１は、これを展開した状態に素材板を打ち抜いて、順番に曲げて立体構造にするが、おおまかには、各部位の先端部の曲げ加工を行ってから、背板４との関係では、天板７の曲げ起こし、底板８の曲げ起こし、側板５，６の曲げ起こし、という手順を採る。天板７と底板８とは、いずれを先に曲げ起こしてもよい。また、左右側板５，６も、いずれを先に曲げ起こしてもよい。各板の先端部の曲げは、最先端から順に付け背板４の側に向けて行われる。
【００４９】
本願発明品は斬新なデザインであり、意匠登録の対象になり得る。この場合、図１に点線で示す部分や、点線で示す部分に更に一点鎖線で示す部分を加えた部分を特徴として、部分意匠の登録出願とすることができる。つまり、収納家具の高さや間口寸法、奥行き寸法がまちまちであっても、点線で示す溝状空間１７の形態や、一点鎖線で示すような溝状空間１７と仕切板２４とのの組み合わせの形態は、収納家具の縦横の比率等が変わっても共通しているのであり、そこで、この共通部分を特徴として意匠登録出願できるのである。
【００５０】
図１の実施形態では、扉２のうち自由端部の下部に指掛け穴３５を開けている。このため、一々錠３の摘み３ａを摘むことなく、扉２を開けることができる。指掛け穴３５は他の部位に設けてもよい。
【００５１】
(5).他の実施形態
次に、図６以下の他の実施形態を説明する。図７（Ａ）に示す第２実施形態では、本体１の内部に上下５つの単位収納部２５に区分しており、各単位収納部２５のそれぞれに扉２を設けている。本体１の内部の仕切態様は任意であり、２又は３つに仕切ったり、６つ以上に仕切ったりにすることもできる。内部を仕切らずに、本体１が１つのみの扉２を有する形態とすることも可能である。
【００５２】
図６（Ｂ）に示す第３実施形態では、本体１の内部を上下４つの単位収納部２５に仕切っているが、上２つの単位収納部２５と下２つの単位収納部２５との高さを異ならせている。この例から理解できるように、単位収納部２５の高さも、必要に応じて任意に設定できる。
【００５３】
図７に示す第４実施形態では、本体１の内部を上下５つの単位収納部２５に仕切りつつ、各単位収納部２５を１つの扉２で開閉している。従って、各仕切板２４の前端は、図５の点線や一点鎖線のように、本体１の前端よりも後ろに入り込んでいる。図では省略しているが、扉２は第１実施形態と同様に錠３を備えている。
【００５４】
図８，９は扉支持部１３及び当たり部１９の別例であり、この図９（Ａ）に示す第５実施形態では、扉支持部１３は、前向き片１３ｂをその前端に後ろ向きの補助片１３ｄを折り返した二重構造にして、補助片１３ｄにヒンジ１２を取付けている。この実施形態では、扉支持部１３の内向き突出寸法は第１実施形態の場合よりも小さくなる。当たり部１９は第１実施形態と同様の形態であるが、後ろ片１９ｃは、傾斜せずに平面視で左側板５と直交している。
【００５５】
図８（Ｂ）に示す第６実施形態では、扉支持部１３は中空角形（右内側板１２を含めて見るとハット形）になっていて、後ろ向き片１３ｅと後部外向き片１３ｆとを有しており、かつ、後部外向き片１３ｆに設けた後ろ向きの重合片１３ｇを右側板６に重ねている。ヒンジ１６は後ろ向き片１３ｅに固定しているが、内向き片１２ａに固定してもよい。当たり部１９もハット形（凸形）に形成されている。
【００５６】
図９に示す第８実施形態では、扉支持部１３と当たり部１９とをそれぞれ２枚重ねの折り重ね構造に形成しており、側板５，６に重なる重合片を形成している。換言すると、内側板に１２，１８に、２枚重ね状の扉支持部１３と当たり部１９とを突設した構造になっている。この実施形態では、構造は一層簡単になっている。
【００５７】
(6).その他
本願発明は、上記の各実施形態の他にも様々に具体化できる。例えば、各実施形態は本体１の片側に扉支持部を設けた片開き構造になっているが、本体１の左右両端部に扉支持部を左右対称状に設けて、それぞれ扉を取り付けた両開き構想（観音開き構造）も採用できる。この場合は、扉の閉じ姿勢を規定する当たり部は、天板と底板とのうち片方又は両方に設けたらよい。
【００５８】
また、錠を設ける場合、本体のカマチ部に設けたり、仕切板の前板に設けたりすることも可能である。また、扉には、閉じ状態に保持するラッチ爪を設けてもよい。扉を水平回動自在に取り付ける方法としては、ピン（支軸）を使用することも可能である。
【産業上の利用可能性】
【００５９】
本願発明は、ロッカー等の収納家具に具体化できる。従って、産業上利用できる。
【符号の説明】
【００６０】
１  本体
２  扉
４  背板
５  左側板（他方の側板）
６  右側板（一方の側板）
７  天板
８  底板
９，１０  カマチ部
１２  右内側板
１３  扉支持部
１６  ヒンジ
１７  溝状空間
１８  左内側板
１９  当たり部
２４  仕切板
２５  単位収納部
【図１】
0006587340.tif 000002
【図２】
0006587340.tif 000003
【図３】
0006587340.tif 000004
【図４】
0006587340.tif 000005
【図５】
0006587340.tif 000006
【図６】
0006587340.tif 000007
【図７】
0006587340.tif 000008
【図８】
0006587340.tif 000009
【図９】
0006587340.tif 000010